(57)【要約】【課題】  上位装置や受信側の移動端末に新たに複雑な機能を設けることなく、基地局制御装置及び無線基地局の負荷を軽減することができる。【解決手段】  移動端末１の位置登録情報が登録されているとともに、無線基地局２−１〜２−ｎまでのルーティング情報を提供する加入者情報管理装置５において、公衆回線７に接続された端末にて特定された無線基地局２−１のみに対するルーティング情報が提供され、このルーティング情報に基づいて移動端末１の呼び出し要求が行われる。【選択図】図１
2006279782.tif 000002
【特許請求の範囲】
【請求項１】
移動端末と、前記移動端末と無線で接続可能に配置された無線基地局と、前記無線基地局の制御を行う基地局制御装置と、前記基地局制御装置と接続され、前記基地局制御装置との間における通話信号及び制御信号のルーティングを行う移動交換局と、通信回線と接続され、前記移動交換局との間における通話信号及び制御信号のルーティングを行う移動関門交換局と、前記移動端末の位置登録情報を登録して管理するとともに、前記移動関門交換局から前記無線基地局までのルーティング情報を提供する加入者情報管理装置とを有してなる移動端末呼び出しシステムにおいて、
前記加入者情報管理装置は、前記通信回線に接続された端末にて特定された無線基地局のみに対するルーティング情報を前記移動関門交換局に提供し、
前記加入者情報管理装置から提供されたルーティング情報に基づいて、前記移動関門局、移動交換局及び基地局制御装置、並びに前記特定された無線基地局を介して前記移動端末の呼び出し要求を行うことを特徴とする移動端末呼び出しシステム。
【請求項２】
請求項１に記載の移動端末呼び出しシステムにおいて、
前記加入者情報管理装置は、
前記移動端末の位置登録情報を登録して管理する位置情報管理手段と、
通信回線に接続された端末にて特定された無線基地局のみに対するルーティング情報を前記移動関門交換局へ送信するルーティング情報提供手段とを有することを特徴とする移動端末呼び出しシステム。
【請求項３】
請求項２に記載の移動端末呼び出しシステムにおいて、
前記ルーティング情報提供手段は、前記移動端末の電話番号と共に入力された付加コードにより前記無線基地局を識別し、該無線基地局のみに対するルーティング情報を送信することを特徴とする移動端末呼び出しシステム。
【請求項４】
通信回線に接続された端末から無線基地局がカバーする無線エリアに存在する移動端末を呼び出す移動端末呼び出し方法であって、
通信回線に接続された端末にて特定された無線基地局のみに対する経路を決定する処理と、
前記決定した経路を介して前記移動端末を呼び出す処理とを有する移動端末呼び出し方法。
【請求項５】
請求項４に記載の移動端末呼び出し方法において、
前記移動端末の電話番号と共に入力された付加コードにより前記特定する無線基地局を識別する処理を有することを特徴とする移動端末呼び出し方法。
【発明の詳細な説明】
【技術分野】
【０００１】
本発明は、無線エリアに存在する移動端末を呼び出す移動端末呼び出しシステム及び移動通信端末呼び出し方法に関する。
【背景技術】
【０００２】
近年の移動端末の利用形態については、電車や自動車等による移動中における通信よりも、自宅や会社等のある特定の場所に留まった状態で行われる通信の方が使用頻度が高く、また、ユーザの生活サイクルから、ユーザと共に移動する移動端末が存在する場所が時間帯によって想定可能であるにもかかわらず、現状ではその特性を活かした移動通信装置や移動通信サービスが存在していない。
【０００３】
現在、無線エリアに存在する移動端末の位置が上位装置にて登録される際、位置登録エリア（一斉呼び出しエリア）と呼ばれるエリアに属する複数の無線基地局がカバーする無線エリアにおいて位置登録が行われているため、当該移動端末を呼び出すためには、位置登録エリアに属する複数の無線基地局を介して一斉に呼び出す方法がとられている。そのため、実際に移動端末と接続されない無線基地局に対しても、当該移動端末の呼び出しの要求信号が送信され、基地局制御装置から当該無線基地局及び無線基地局から移動端末への呼び出しに係る無駄な信号が生じている。
【０００４】
そこで、移動交換局及び無線基地局の処理量を軽減させ、また、トラフィック量を分散させることを目的とし、その実現手段として複数の無線基地局をカバーするような無線エリアを持つ無線基地局を新たに設置し、当該無線基地局が移動端末の一斉呼び出しを行うことにより負荷分散を図る方法が考えられている（例えば、特許文献１参照。）。
【０００５】
また、移動交換局や基地局制御装置等の上位装置において、移動端末の移動履歴を記憶しておき、記憶された移動履歴から当該移動端末の現在の位置を予測し、予測された位置に設置された無線基地局に限定して呼び出しの要求を行う方法が考えられている。（例えば、特許文献２参照。）。
【０００６】
また、各無線基地局が固有の識別番号を有し、その識別番号を接続される移動端末へ送信し、移動端末にて受信された識別番号を当該移動端末から基地局制御装置へ登録することにより、基地局制御装置において接続しようとする移動端末を呼び出すために接続すべき無線基地局を識別し、その無線基地局に限定して呼び出しの要求を行う方法が考えられている（例えば、特許文献３参照。）。
【特許文献１】特開平０８−１７２６６０号公報
【特許文献２】特開２００１−３０９４１９号公報
【特許文献３】特開平０７−３０３２７５号公報
【発明の開示】
【発明が解決しようとする課題】
【０００７】
しかしながら、特許文献１に記載された方法においては、複数の無線基地局をカバーする大規模な無線基地局を新たに設置しなければならないという問題点がある。
【０００８】
また、特許文献２に記載された方法においては、呼び出される移動端末の位置情報の履歴を曜日や時間毎に記憶しておき、その記憶された内容から現在の位置を予測する手段を移動交換局や基地局制御装置等の上位装置に設けなければならないという問題点がある。
【０００９】
また、特許文献３に記載された方法においては、呼び出される移動端末において、接続されている無線基地局の識別番号を受信し、受信した識別番号を基地局制御装置へ登録する手段を設けなければならないという問題点がある。
【００１０】
本発明は、上述したような従来の技術が有する問題点を鑑みてなされたものであって、上位装置や受信側の移動端末に新たに複雑な機能を設けることなく、基地局制御装置及び無線基地局の負荷を軽減することができる移動端末呼び出しシステム及び移動通信端末呼び出し方法を提供することを目的とする。
【課題を解決するための手段】
【００１１】
上記目的を達成するために本発明は、
移動端末と、前記移動端末と無線で接続可能に配置された無線基地局と、前記無線基地局の制御を行う基地局制御装置と、前記基地局制御装置と接続され、前記基地局制御装置との間における通話信号及び制御信号のルーティングを行う移動交換局と、通信回線と接続され、前記移動交換局との間における通話信号及び制御信号のルーティングを行う移動関門交換局と、前記移動端末の位置登録情報を登録して管理するとともに、前記移動関門交換局から前記無線基地局までのルーティング情報を提供する加入者情報管理装置とを有してなる移動端末呼び出しシステムにおいて、
前記加入者情報管理装置は、前記通信回線に接続された端末にて特定された無線基地局のみに対するルーティング情報を前記移動関門交換局に提供し、
前記加入者情報管理装置から提供されたルーティング情報に基づいて、前記移動関門局、移動交換局及び基地局制御装置、並びに前記特定された無線基地局を介して前記移動端末の呼び出し要求を行うことを特徴とする。
【００１２】
また、前記加入者情報管理装置は、
前記移動端末の位置登録情報を登録して管理する位置情報管理手段と、
通信回線に接続された端末にて特定された無線基地局のみに対するルーティング情報を前記移動関門交換局へ送信するルーティング情報提供手段とを有することを特徴とする。
【００１３】
また、前記ルーティング情報提供手段は、前記移動端末の電話番号と共に入力された付加コードにより前記無線基地局を識別し、該無線基地局のみに対するルーティング情報を送信することを特徴とする。
【００１４】
また、通信回線に接続された端末から無線基地局がカバーする無線エリアに存在する移動端末を呼び出す移動端末呼び出し方法であって、
通信回線に接続された端末にて特定された無線基地局のみに対する経路を決定する処理と、
前記決定した経路を介して前記移動端末を呼び出す処理とを有する。
【００１５】
また、前記移動端末の電話番号と共に入力された付加コードにより前記特定する無線基地局を識別する処理を有することを特徴とする。
【００１６】
上記のように構成された本発明においては、移動端末の位置登録情報が登録されているとともに、無線基地局までのルーティング情報を提供する加入者情報管理装置において、通信回線に接続された端末にて特定された無線基地局のみに対するルーティング情報が提供され、このルーティング情報に基づいて移動端末の呼び出し要求が行われる。
【００１７】
このように、呼び出し要求が行われる無線基地局が限定されることにより、移動端末を呼び出す際に、不要な無線基地局への無駄な信号の送信が無くなり、移動端末の呼び出しに係る基地局制御装置及び無線基地局の信号量が削減される。
【発明の効果】
【００１８】
以上説明したように本発明においては、移動端末の位置登録情報が登録されているとともに、無線基地局までのルーティング情報を提供する加入者情報管理装置において、通信回線に接続された端末にて特定された無線基地局のみに対するルーティング情報が提供され、このルーティング情報に基づいて移動端末の呼び出し要求が行われる構成としたため、上位装置や受信側の移動端末に新たに複雑な機能を設けることなく、基地局制御装置及び無線基地局の負荷を軽減することができる。
【発明を実施するための最良の形態】
【００１９】
以下に、本発明の実施の形態について図面を参照して説明する。
【００２０】
図１は、本発明の移動端末呼び出しシステムの実施の一形態を示す図である。
【００２１】
本形態は図１に示すように、移動端末１と、移動端末１と無線で接続される無線基地局２−１〜２−ｎと、無線基地局２−１〜２−ｎを制御する基地局制御装置３−１〜３−ｍと、基地局制御装置３−１〜３−ｍに接続され、基地局制御装置３−１〜３−ｍとの間における通話及び制御信号のルーティングを行う移動交換局４と、移動端末１の位置登録情報の管理を行う加入者情報管理装置５と、自網及び公衆回線７と接続され、移動交換局４との間における通話及び制御信号のルーティングを行う移動関門交換局６とから構成されている。
【００２２】
図２は、図１に示した加入者情報管理装置５の構成を示す図である。
【００２３】
図２に示すように加入者情報管理装置５は、移動端末１の位置情報を登録して管理する位置情報管理部１１と、無線基地局２−１〜２−ｎ毎のルーティング情報を保持し、特定された無線基地局２−１〜２−ｎまでのルーティング情報を提供するルーティング情報提供部１２とから構成されている。
【００２４】
以下に、図１に示した移動端末呼び出しシステムにおける移動通信端末呼び出し方法について説明する。
【００２５】
図３は、図１に示した移動端末呼び出しシステムにおいて、移動端末１を所持するユーザの自宅及び会社の存在位置の例を示す図である。
【００２６】
図３に示すように、図１に示した３つの無線基地局２−１〜２−３は同じ位置登録エリア３１に属しており、それぞれ基地局制御装置３−１に接続されている。また、ユーザの自宅２１が無線基地局２−１の無線エリア内に位置し、また、ユーザの会社２２が無線基地局２−２の無線エリア内に位置している。
【００２７】
図４は、図１〜図３に示した移動端末呼び出しシステムにおける移動通信端末呼び出し方法の一例を説明するためのフローチャートである。なお、本例においては、公衆回線７から移動端末１へ発信が行われる際に、移動端末１を所持するユーザが自宅２１にいると推測される場合を例に挙げて説明する。
【００２８】
まず、公衆回線７から移動端末１への発信が行われると（ステップＳ１）、移動関門交換局６にて公衆回線７からの発信要求が受信される（ステップＳ２）。なお、移動端末１への発信は、公衆回線７からのものに限らず、移動関門交換局６の自網からの発信であっても良い。また、移動関門交換局６の自網または公衆回線７からの発信とは、移動関門交換局６の自網または公衆回線７に接続された固定電話からの発信であっても良いし、他の移動端末からの発信であっても良い。
【００２９】
ここで、公衆回線７から移動端末１への発信が行われる際に、無線基地局２−１〜２−ｎを特定しておく必要がある。無線基地局２−１〜２−ｎを特定するために、公衆回線７から発信する際、つまり、移動端末１の電話番号を入力する際に、無線基地局２−１〜２−ｎを識別するために、無線基地局２−１〜２−ｎ毎にそれぞれナンバリングされた付加コードが併せて入力される。
【００３０】
図５は、図１に示した無線基地局２−１〜２−３とそれらを識別する付加コードとの対応付けの一例を示す図である。
【００３１】
図５に示すように、無線基地局２−１には付加コード「１１１１」が、また、無線基地局２−２には付加コード「１１１２」が、また、無線基地局２−３には付加コード「１１１３」がそれぞれ対応付けられている。なお、この対応付けについては、加入者情報管理装置５の位置情報管理部１１内に予め格納されている。
【００３２】
したがって、ユーザが自宅２１に存在すると推測される場合、移動端末１は無線基地局２−１の下に存在しているため、公衆回線７からの発信の際に移動端末１の電話番号と共に付加コード「１１１１」が入力されることとなる。また、ユーザが会社２２に存在すると推測される場合は、移動端末１は無線基地局２−２の下に存在しているため、公衆回線７からの発信の際に移動端末１の電話番号と共に付加コード「１１１２」が入力されることとなる。ここでは、ユーザが自宅２１に存在すると推測される場合を例に挙げているため、公衆回線７からの発信の際に移動端末１の電話番号と共に付加コード「１１１１」が入力される。
【００３３】
移動関門交換局６にて発信要求が受信されると、移動関門交換局６によって加入者情報管理装置５へ移動端末１の存在する無線エリアである位置登録情報の問い合わせが行われる（ステップＳ３）。
【００３４】
すると、加入者情報管理装置５において、移動端末１の電話番号と共に入力されてきた付加コード「１１１１」が示す無線基地局は無線基地局２−１であるということが位置情報管理部１１から取得され、ルーティング情報提供部１２において、無線基地局２−１までの経路が決定され、問い合わせのあった移動端末１の位置登録情報、並びに、移動端末１へ接続するための移動交換局４、基地局制御装置３−１〜３−ｍ及び無線基地局２−１〜２−ｎまでのルーティング情報が移動関門交換局６に対して送信される（ステップＳ４）。
【００３５】
ルーティング情報提供部１２から送信されて移動関門交換局６にて受信されたルーティング情報に基づいて、該当する移動交換局４に対して、そのルーティング情報及び公衆回線７から着信があったことが送信される。
【００３６】
そして、移動交換局４にて受信されたルーティング情報に基づいて、基地局制御装置３−１を介して無線基地局２−１に対して移動端末１の呼び出し要求が行われる。
【００３７】
その後、移動端末１からの着信応答があるかどうかが移動交換局４によって判断され（ステップＳ５）、移動端末１から着信応答があったと判断された場合、処理が終了する。
【００３８】
一方、移動端末１から着信応答が無いと判断された場合、予め設定された一定時間が経過したかどうかが移動交換局４において判断され（ステップＳ６）、一定時間が経過していないと判断された場合、ステップＳ５の処理に戻る。また、一定時間が経過したと判断された場合、移動交換局４によって複数の無線基地局２−１〜２−３に対して、一斉呼び出し要求がされる（ステップＳ７）。
【００３９】
また、平日の昼間の時間帯等、移動端末１を所持するユーザが会社２２にいると推測される場合については、公衆回線７から発信が行われる際に、移動端末１の電話番号と共に付加コード「１１１２」が入力され、移動端末１の呼び出し要求は無線基地局２−２に対して行われる。
【００４０】
なお、無線基地局２−１〜２−３と同様に、無線基地局２−４〜２−ｎについても付加コードをナンバリングすることにより、無線基地局２−３〜２−ｎ及び基地局制御装置３−２〜３−ｍについても、上述した処理と同様の処理が行われる。
【００４１】
また、公衆回線７に接続された端末からの発信だけではなく、自網に接続された端末からの発信についても同様の処理が可能であることは言うまでもない。
【図面の簡単な説明】
【００４２】
【図１】本発明の移動端末呼び出しシステムの実施の一形態を示す図である。
【図２】図１に示した加入者情報管理装置の構成を示す図である。
【図３】図１に示した移動端末呼び出しシステムにおいて、移動端末を所持するユーザの自宅及び会社の存在位置の例を示す図である。
【図４】図１〜図３に示した移動端末呼び出しシステムにおける移動通信端末呼び出し方法の一例を説明するためのフローチャートである。
【図５】図１に示した無線基地局とそれらを識別する付加コードとの対応付けの一例を示す図である。
【符号の説明】
【００４３】
１    移動端末
２−１〜２−ｎ    無線基地局
３−１〜３−ｍ    基地局制御装置
４    移動交換局
５    加入者情報管理装置
６    移動関門交換局
７    公衆回線
１１    位置情報管理部
１２    ルーティング情報提供部
２１    自宅
２２    会社
３１    位置登録エリア
【図１】
2006279782.tif 000003
【図２】
2006279782.tif 000004
【図３】
2006279782.tif 000005
【図４】
2006279782.tif 000006
【図５】
2006279782.tif 000007